(57)【要約】  【課題】文書の統合を容易化すること。  【解決手段】コンピュータに、(A)〜(C)の手段の実行のための処理手段が含まれる、組織計画用三次元表示プログラムを提供する：(A)三次元を表示するためのＸ軸、Ｙ軸及びＺ軸のいずれかに、(1)組織計画に関わるマクロ的主体を定義して視覚的に表示する処理、(2)(1)によりマクロ的主体が定義されるべき軸を除いたいずれかの軸を時系列軸として、組織計画の時系列的ステップを定義して視覚的に表示する処理、(3)(1)と(2)に対して用いられた残りの軸に、前記マクロ的主体の階層を定義して視覚的に表示する処理；(B)(A)により定義づけられ形成された二次元平面に、前記マクロ的主体が行う行為を、前記時系列軸に依存させて視覚的に表示するための手段；(C)(B)により視覚的に表示された行為における、前記マクロ的主体の階層間の確認・承認のルートを視覚的に表示するための手段。  【選択図】  図４
2006252542.tif 000002
【特許請求の範囲】
【請求項１】
コンピュータに、下記（Ａ）〜（Ｃ）の手段を実行させるための処理手段が含まれる、組織計画用三次元表示プログラム。
（Ａ）三次元を表示するためのＸ軸、Ｙ軸及びＺ軸のいずれかに、下記（１）〜（３）の処理を行うための手段。
（１）  組織計画に関わるマクロ的主体を定義して視覚的に表示する処理。
（２）  前記（１）によりマクロ的主体が定義されるべき軸を除いたいずれかの軸を時系列軸として、組織計画の時系列的ステップを定義して視覚的に表示する処理。
（３）  前記（１）と（２）に対して用いられた残りの軸に、前記マクロ的主体の階層を定義して視覚的に表示する処理。
（Ｂ）前記手段（Ａ）により定義づけられ形成された三次元空間に、前記マクロ的主体又はその階層が行う行為を、前記時系列軸に依存させて視覚的に表示するための手段。
（Ｃ）前記手段（Ｂ）により視覚的に表示された行為における、前記マクロ的主体又はその階層間の確認・承認のルートを視覚的に表示するための手段。
【請求項２】
前記プログラムに、手段（Ａ）により定義されたパラメーターの一部又は全部を、繰り返し変更することが可能な手段が含まれる、請求項１記載の組織計画用三次元表示プログラム。
【請求項３】
前記プログラムにより組織計画が定義づけられている三次元像を、Z軸における規定要素をパラメーターとして確定するXY平面、X軸における規定要素をパラメーターとして確定するYZ平面、又は、Y軸における規定要素をパラメーターとして確定するXZ平面、を視覚的に表示するための処理手段が含まれる、請求項１又は２記載の組織計画用三次元表示プログラム。
【請求項４】
前記プログラムにより組織計画が定義づけられている三次元像を回転させて、視覚的に表示するための処理手段が含まれる、請求項１〜３のいずれかに記載の組織計画用三次元表示プログラム。
【請求項５】
前記プログラムにおけるマクロ的主体に、組織部門が含まれる、請求項１〜４のいずれかに記載の組織計画用三次元表示プログラム。
【請求項６】
請求項１〜５のいずれかに記載の組織計画用三次元表示プログラムを記録したコンピュータ読み取り可能な記録媒体。
【請求項７】
請求項１〜５のいずれかに記載の組織計画用三次元表示プログラムを伝送する伝送媒体。
【請求項８】
請求項１〜５のいずれかに記載の組織計画用三次元表示プログラムによる、下記（Ａ）〜（Ｃ）の処理手段を有する組織計画用装置。
（Ａ）三次元を表示するためのＸ軸、Ｙ軸及びＺ軸のいずれかに、下記（１）〜（３）の処理を行うための手段。
（１）  組織計画に関わるマクロ的主体を定義して視覚的に表示する処理。
（２）  前記（１）によりマクロ的主体が定義されるべき軸を除いたいずれかの軸を時系列軸として、組織計画の時系列的ステップを定義して視覚的に表示する処理。
（３）  前記（１）と（２）に対して用いられた残りの軸に、前記マクロ的主体の階層を定義して視覚的に表示する処理。
（Ｂ）前記手段（Ａ）により定義づけられ形成された三次元空間に、前記マクロ的主体又はその階層が行う行為を、前記時系列軸に依存させて視覚的に表示するための手段。
（Ｃ）前記手段（Ｂ）により視覚的に表示された行為における、前記マクロ的主体又はその階層間の確認・承認のルートを視覚的に表示するための手段。
【発明の詳細な説明】
【技術分野】
【０００１】
本発明は、コンピュータプログラム等に関する発明である。
【背景技術】
【０００２】
品質管理を効果的に実施するためには、市場の調査、研究開発、製品の企画、設計、生産準備、購買・外注、製造、検査、販売及びアフターサービス並びに財務、人事、教育等、企業活動の全段階にわたり、経営者を始め管理者、監督者、作業者等、企業の全員の参加と協力が必要である。
【０００３】
このような総合的品質を求めた全部門・全員参加型品質管理を立案するにあたっては、様々な要素を可能な限り全体として俯瞰できる、品質保証体系図等の組織体系文書が必要である。
【０００４】
従来の組織体系文書は、平面２次元の表現により、組織部門名と、企画〜推進計画〜調査〜開発〜商品設計〜実施〜販売〜供給〜アフターサービス等に至る組織活動のステップ、を規定することが通常であった。
【０００５】
これらの組織計画用の文書は、官庁、特殊法人、民間組織等によって、様々な種類や名称、例えば、組織機能図、業務フロー図、品質保証体系図等が知られている。これらの２次元の組織体系文書では、X軸に「（ある組織活動に関係する）組織部門名」を表し、Y軸に時系列「組織活動のステップ」を表すことが多い。
【０００６】
図１は、A社における従来の組織体系文書の例である。この「品質保証体系図」例では、「新規コース開発〜初回実施」の業務を、X軸にA社の組織部門名を、Y軸に組織活動の各ステップを規定している。
【０００７】
このような組織体系文書を作成して組織計画を立案する際に重要なことは、一つのステップを行う際のコミュニケーションのルート、例えば、確認・承認のルート、責任者を明確にしておくことである。例えば、Y軸に定義された組織活動を進めていくうえで、ステップ実行の責任所在を曖昧にしておくと、組織活動に混乱を起こすことになりがちである。そこで、従来は、上記のような組織体系文書とは別の文書に、「確認・承認のルート、責任者」を定めて記載し、ステップ実行の責任所在の明確化を図っていた。
【発明の開示】
【発明が解決しようとする課題】
【０００８】
図１は、２次元の組織計画用文書の例を示した図面である。図１におけるＡ社の例においては、左欄の下位規定欄に「研修コース運営管理規定TF-211」、「広報規定TF-207」、「受注管理規定TF-208」、「設計開発規定TF-209」、の４文書が明記され、その中にステップごとの確認・承認のルート、責任者が規定されている。
【０００９】
しかし、このような「組織部門名」および「組織活動のステップ」が規定された組織体系文書と、「確認・承認のルート、責任者」が規定されている関連文書が別々になっていることで、次のような課題が存在していた。
【００１０】
（１）組織の要員に「組織部門名」、「組織活動のステップ」、「確認・承認のルート、責任者」の３要素の相互関係を理解させる組織内教育・訓練をする際に、文書が別々になっていることから、数多くの資料が必要となり、説明に要する時間が増加し、さらにその内容を理解させるのに手間と時間がかかり、結果として、経費が過大になってしまう傾向があった。
【００１１】
（２）組織の要員に「組織部門名」、「組織活動のステップ」、「確認・承認のルート、責任者」の３要素の相互関係を教育・訓練する際に、文書が別々になっていることから、各要員は自分の頭の中で全体図を組み立てなければならず、各人の考えていることにバラツキが発生し、教育・訓練の品質（画一的な理解）の維持に支障を生じる場合が多かった。
【００１２】
（３）教育・訓練の品質（画一的な理解）の維持に支障を生じた場合には、その結果、規定遵守違反、コミュニケーションミス等による問題、クレーム、事故等が発生する頻度が高くなっていたことが考えられる。
【課題を解決するための手段】
【００１３】
本発明者は、「組織部門名」、「組織活動のステップ」、「確認・承認のルート、責任者」の３要素が別々になっている文書の統合を容易化することで、上記の課題を解決できるのではないかと考え、組織体系文書の中に当該３要素を、容易に３次元表現することが可能なコンピュータソフトウエアを開発することに想到した。
【００１４】
すなわち、本発明は、コンピュータに、下記（Ａ）〜（Ｃ）の手段を実行させるための処理手段を含む、組織計画用三次元表示プログラム（以下、本プログラムともいう）を提供する発明である。
【００１５】
（Ａ）三次元を表示するためのＸ軸、Ｙ軸及びＺ軸のいずれかに、下記（１）〜（３）の処理を行うための手段。
（１）  組織計画に関わるマクロ的主体を定義して視覚的に表示する処理。
（２）  前記（１）によりマクロ的主体が定義されるべき軸を除いたいずれかの軸を時系列軸として、組織計画の時系列的ステップを定義して視覚的に表示する処理。
（３）  前記（１）と（２）に対して用いられた残りの軸に、前記マクロ的主体の階層を定義して視覚的に表示する処理。
【００１６】
これらの処理（１）〜（３）の順序は、当該番号順に限定されるものではない。すなわち、（１）→（２）→（３）、（１）→（３）→（２）、（２）→（３）→（１）、（２）→（１）→（３）、（３）→（１）→（２）、（３）→（２）→（１）のいずれの順序の処理も、本発明の範囲内である。また、（１）〜（３）から選ばれるいずれか２種の処理、または、３種全ての処理を並行して行うプログラムであっても、本発明の範囲内である。
【００１７】
（Ｂ）前記手段（Ａ）により定義づけられ形成された三次元空間に、前記マクロ的主体又はその階層が行う行為を、前記時系列軸に依存させて視覚的に表示するための手段。
【００１８】
（Ｃ）前記手段（Ｂ）により視覚的に表示された行為における、前記マクロ的主体又はその階層間の確認・承認のルートを視覚的に表示するための手段。
【００１９】
本発明において、「組織計画」とは、官庁、特殊法人、民間組織等の、特定の要素を共有する人の集合体が、特定の目的に向かって、当該組織における、マクロ的主体やこれに属する個々人の行動や行為についての計画である。具体的には、組織機能図、業務フロー図、品質保証体系図等が該当するが、これらに限定されるものではない。「マクロ的主体」とは、組織活動に関係する組織の部門、例えば、経営組織、教育訓練部門、調査研究部門、教材準備部門、総務部門、営業部門、企画経理部門、製造部門等が挙げられるが、本来、各々の組織において自由に定められるものであり、これらの名称や性質に限定されるものではない。また、組織の外部の存在、例えば、顧客、外注先等も挙げられる。さらに、コンピュータ・サーバー等もマクロ的主体として定義される場合もある。なお、特定の行為主体が一個人である場合も、これをマクロ的主体として定義するものとする（この場合には、下記の「マクロ的主体の階層」は存在しないことになる）。
【００２０】
「組織計画の時系列的ステップ」とは、時系列的に規定した組織計画のステップ、例えば、組織計画が特定の研修コース実現の計画である場合、事業企画→調査研究→コース企画→設計開発の順に作業が行われるとすれば、これらの順番を要素として含めたステップ列を意味するものである。また、必要に応じて、上記のような大ざっぱなステップ列と同時に、大項目（例えば、事業計画）の下位概念としてさらに細分化されたステップを、下位概念として階層化して、「組織計画の時系列的ステップ」として含ませることも可能である。
【００２１】
「マクロ的主体の階層」とは、上記の「マクロ的主体」に属する個々人を意味する（例えば、マクロ的主体が「組織経営」であれば、社長、副社長、専務、常務等の役員以上の個々人が該当する。
【発明の効果】
【００２２】
本発明のもたらす効果は次のとおりである。本発明のソフトウエア、記録媒体、伝送媒体、装置を用いることにより、以下のような効果が認められる。
【００２３】
（１）「組織部門名」、「組織活動のステップ」、「確認・承認のルート、責任者」の３要素、および相互関係を３次元で同一文書上に規定することにより、関係する部門、要員それぞれの役割、並びにステップ実行における指揮命令系統が明確になり、組織活動が効率よく、かつ効果的に進めることが可能となる。
【００２４】
（２）トラブルが発生したとき、トラブルの責任部門、関係部門、及び要員が明らかになり、迅速な対応が可能となる。部門間の役割、認識に問題が生じた時の整理にも役立てられる。
【００２５】
（３）組織構造を立体的視野に入れることにより、機能、人事変更を実施する際の分析、解析、及び検討がしやすくなる。
【００２６】
（４）自社の組織活動の進め方や特徴を、顧客、供給者、社員及び他の利害関係者に分かりやすく明示することができる。
【発明を実施するための最良の形態】
【００２７】
下記図２および図４にて示すフローチャートにおいて、（１）俵型の囲みは、プログラムの流れの開始または終了を表し、本明細書では「端子」といい、（２）長方形の囲みは、任意の種類の処理機能を表し、本明細書では「処理」といい、（３）右肩が高い台形の囲みは、手等で操作して情報を入力するデータを表し、本明細書では「外部入力」といい、（４）菱形の囲みは、一つの入り口と複数の択一的な出口を持ち、記述された条件を判定し、一つの出口を選ぶ判断処理を表し、本明細書では「処理」といい、（５）左端が尖った砲弾状の囲みは、情報を表示するあらゆる種類の装置上のデータを表し、本明細書では「表示」といい、（６）囲み同士を繋ぐ線は、データまたは処理の流れを表し、矢印は流れの方向を明示または強調している。
【００２８】
［実施例１］
図２は、本プログラムの一実施例の概略フローチャートを示している。また、図３は、図２に示されたプログラムにより実現されるコンピュータ画像の概略を示している。本実施例は、企業で行う事業計画についての例である。
【００２９】
まずは、スタート端子１の段階から、システム生成フェーズ処理２に移行する。システム生成フェーズ処理２は、組織業務フローの構造を定義する処理を示している。システム生成フェーズ処理２では、システム構造指定が、外部入力により本プログラムにて定義される、手段（Ａ）〜（Ｃ）が行われる。
【００３０】
まず、手段（Ａ）は、下記の処理（１）〜（３）をコンピュータに実行させるための手段である。
【００３１】
（１）  組織計画に関わるマクロ的主体を定義して視覚的に表示する手段である。
【００３２】
処理（１）では、例えば、Ｘ軸と定義された軸に、「マクロ的主体」、すなわち、本例では、経営者１１、営業部１２、教育訓練部  品質課１３、教育訓練部  環境課１４、調査研究部１５、企画経理部１６が定義されて、コンピュータ画面上に、Ｚ軸方向に長短冊状に視覚的に表示する処理が行われる。
【００３３】
（２）  前記処理（１）によりマクロ的主体が定義されるべき軸を除いたいずれかの軸を時系列軸として、組織計画の時系列的ステップを定義して視覚的に表示する処理が行われる。
【００３４】
処理（２）では、例えば、上記Ｘ軸とは異なるＹ軸として定義された軸（通常はＸＹ軸で横平面を構成する）に、「組織計画の時系列的ステップ」、すなわち、０時間側（原点）から順番に、事業計画２１、調査研究２２、コース企画２３、設計開発２４が定義されて、コンピュータ画面上に、区画を区切って視覚的に表示する処理が行われる。
【００３５】
（３）  前記（１）と（２）の処理に対して用いられた残りの軸に、前記マクロ的主体の階層を定義して視覚的に表示するための処理である。
【００３６】
処理（３）では、残りの軸であるＺ軸に、前記マクロ的主体の階層、すなわち、当該主体（部署）における個々人、例えば、本例の場合、マクロ的主体が「経営者」であれば、役員以上であり、この事業計画の実行に関わるＡ氏とＢ氏が個々別々に、Ｘ軸の「経営者」を示す長短冊状の平面からＹ軸方向に長短冊状平面として視覚的に表示される処理が行われる。
【００３７】
手段（Ｂ）は、前記手段（Ａ）［（１）と（２）の処理］により定義づけられ形成された二次元平面に、前記マクロ的主体が行う行為を、前記時系列軸に依存させて視覚的に表示するための処理により実行される手段である。
【００３８】
この際、例えば、マクロ的主体の具体的行為が、前記時系列的ステップ枠と関連付けられて上記二次元平面上で小四角枠内に表示され、個々の小四角枠同士の関連を上記二次元平面上の線で結びつける等の手段により視覚的に表示することができる処理であることが好適である。また、この平面上に表現された事項を、個々のマクロ的主体の階層を示す長短冊状の平面（例えば、図２にて示す長短冊状の平面）に投影することができる処理であることがさらに好適である。
【００３９】
手段（Ｃ）は、前記手段（Ｂ）により視覚的に表示された行為における、前記マクロ的主体の階層［手段（Ａ）：（３）の処理］間の確認・承認のルートを視覚的に表示するためのプロセスである。具体的には、上記の個々の小四角枠同士の、各階層間の、確認・承認に関する関連を、個々のマクロ的主体の階層を示す長短冊状の平面間で示す処理により実行される手段である。
【００４０】
表示フェーズ（表示）３は、システム生成フェーズ処理２で定義された組織業務フローを、キーボード、マウス又はジョイスティック等の操作による外部入力により、視点を連続的に変更しながら表示視野を指定するための処理を示している。この表示フェーズ（表示）３においては、システム生成フェーズ処理２において組織計画が定義づけられている三次元像を、Z軸における規定要素をパラメーターとして確定するXY平面、X軸における規定要素をパラメーターとして確定するYZ平面、又は、Y軸における規定要素をパラメーターとして確定するXZ平面、を視覚的に表示する処理が含まれることが好適である。この処理は、自在に１パラメーターを固定して（具体的には、マクロ的主体の限定、時間的限定、マクロ的主体の階層の限定等）、他パラメーター同士の関連を平面として視覚的に表す処理である。さらに、表示フェーズ（表示）３においては、システム生成フェーズ処理２において組織計画が定義づけられている三次元像を回転させて、視覚的に表示するための処理が含まれることが好適である。
【００４１】
これらの表示フェーズ（表示）３における処理を経て、変更指示判断３１により、システムの変更を行う場合（ＹＥＳ）は、システム変更フェーズ処理４に移行し、又は、システムの変更を行わない場合（ＮＯ）は、終了指示判断４１に移行してプログラムの全てのプロセスを終了させることができる（終了指示判断４１で、終了（ＹＥＳ）が選択されて終了端子（５）に至る。なお、終了させない場合（ＮＯ）には、再び表示フェーズ（表示）３のプロセスに戻る。）。
【００４２】
システム変更フェーズ処理４は、システム生成フェーズ処理２で定義された各パラメーターを、キーボード、マウス又はジョイスティック等の操作により、変更することができる処理である。
【００４３】
具体的には、システム変更フェーズ処理４は、システム生成フェーズ処理２で定義された組織業務フロー（例えば、図３）を、組織の実態に合わせて変更することを可能とする処理が含まれている［手段（Ａ）により定義されたパラメーターの一部又は全部を、繰り返し変更することが可能な処理である］。システム生成フェーズ処理２で、最初に定義された組織業務フローは、実際の組織業務フローを作成するためのテンプレ−トとして一般化されたものであることが多い。組織は、組織を設計する権限者が集まり、組織の実態としての組織業務フローを作成することが必要である。さらに、一度作成された組織業務フローは、ある期間毎に見直しを行うことが好適である。よって、本プログラムにおいては、システム生成フェーズ処理２で定義された全てのパラメーター（マクロ的主体、組織計画の時系列ステップ、マクロ的主体の階層、マクロ的主体の階層間の確認・承認のルート（繋ぐ線）等）を変更する処理が含まれていることが好適であり、当該処理がシステム変更フェーズ処理４である。
【００４４】
システム変更フェーズ処理４における処理が完了すると、表示フェーズ（表示）３に再び移行し、システム変更フェーズ処理４において変更されたパラメーターの内容が視覚的に表示される処理が実行されることとなる。
【００４５】
［実施例２］
図４は、本プログラムの他の実施例の概略フローチャートを示している。本実施例もまた、企業で行う事業計画についての例である。
【００４６】
まずは、入力開始端子１’の段階（新規ファイルの作成がなされた状態であり、画面上には何の図形も文字も作成されていない状態）から、手段（Ａ）〜（Ｃ）に移行する。
【００４７】
本実施例において、本プログラムにて定義される手段（Ａ）は、下位処理である、部門作成処理２１’、階層作成処理２２’、及び、プロセス作成処理２３’を経て行われ、部門、階層、プロセス作成終了判断２’に至る。
【００４８】
部門作成処理２１’は、業務を実施する部門（例：部、課など：マクロ的主体）を定義して、Ｘ軸上に作成する処理である。部門には部門名（例えば、営業部、技術課など）をもつ。部門は複数作成することができる。
【００４９】
階層作成処理２２’は、部門（マクロ的主体）に所属する階層（メンバー）を、Ｚ軸上に定義して作成する処理である。階層には、上記の実施例１にて定義された階層と同様に上下関係も存在し、ここで上下関係を表現することができる。部門作成プ処理２１’で作成した部門毎に階層を作成する。それぞれの階層（メンバー）は業務をもつことになり、 後述する活動形成処理３１’でそれぞれの階層に業務（活動）を時間系列に作成していく。階層は、事前に部門が作成されていなければ作成することができない。
【００５０】
プロセス作成処理２３’は、業務の工程（プロセス：「組織計画の時系列的ステップ」に該当する）を定義して、Ｙ軸上に作成する処理である。工程には工程名を与えて定義付けを行う。また工程はいくつかの大工程と、それに含まれるサブ工程（小工程）をあらわすように順番に作成できる。工程には長さがあり、それもＹ軸上に設定する。
【００５１】
以上のように、本プログラムにて定義される手段（Ａ）が実行され得る（判断２’）。コンピュータ画面上に業務体系図を作成する際には、部門から検討する場合と、工程（プロセス）から検討する場合があるが、このシステムではどちらから定義付けを行って、所望する業務体系図を作成することが可能である。一旦、部門、階層、および、プロセスを作成する処理を行った後、必要に応じて、名前、順番、また新しい部門・階層・プロセスを作成または削除する処理を行うことが可能である（矢印２４’）。
【００５２】
以上のように、必要な部門、階層、および、プロセスを作成した後、活動作成処理３１’を行うことができる（矢印２５’）。
【００５３】
活動作成処理３１’は、本プログラムにて定義される手段（Ｂ）に該当する処理である。当該処理３１’では、それぞれの階層上に定義される時系列に沿って長さ方向が設定される短冊上に、個々の階層における具体的な活動内容を規定して視覚的に示す処理である。図５にて示すように、それぞれの部門にて設けられた階層（３１１’、３１２’）上に、具体的な活動内容を記載したプレート（３１１１’、３１１２’、３１１３’）を置いて視覚的に示すための処理を行うことができる。活動作成処理３１’は、具体的な業務のフローを示すための処理であるので、各具体的な行為、例えば、端子、処理、判断等を類別化するために、各行為の類型別にプレート形状を定義して（３１３’）、具体的な行為に基づいて選択して、各短冊上に置く処理を行うことができる。
【００５４】
矢印作成処理４１’は、本プログラムにて定義される手段（Ｃ）に該当する処理である。当該処理４１’では、コンピュータ画面上において視覚的に示された、活動内容を記載したプレート間に、業務の流れ方向を示す矢印の接続のための処理を行うことができる。矢印の接続が、同じ階層上のプレート間であれば、個人の業務の流れが確認でき（図６：４１１’）、階層間であれば上下の業務の流れ（例えば承認の流れ）を確認できる。また、さらには部門にまたがる業務の流れも視覚的に確認できる（図６：４１２’）。
【００５５】
以上のようにして、実施例２のプログラムにおける処理を実行することができる（５１’）。
【００５６】
また、実施例１〜２の本プログラムにおいては、上記の、部門（マクロ的主体）、階層、業務の工程（時系列的ステップ）は、コンピュータ画面上にて、表示状態又は非表示状態を自在に切り替えることが可能な処理手段が設けられていることが、本プログラムの使用者が必要な情報を絞り込んで検討を行うことを容易にする上で好適である。また、これと同様の理由や、プログラムの使用者の嗜好に応じて、コンピュータ画面上のＸ軸、Ｙ軸又はＺ軸の表示幅や角度を調整すること、例えば、部門（Ｘ軸）の幅、階層（Ｚ軸）の幅、階層の傾き角度等を調整することが可能な処理手段を、本プログラムにおいて設けることも好適である。さらに、上記の活動を、コンピュータ画面上にて移動する処理手段が設けられていることが好適である。例えば、コンピュータ画面上に表示された各短冊の中から「移動を行う活動」を指定し、当該活動の移動先に該当する短冊を指定して、コマンドを実行することにより、所望するとおりに「活動」をコンピュータ画面上にて移動させることが可能な処理がこれに該当する。
【００５７】
また、実施例１〜２の本プログラムにおいては、Ｘ軸、Ｙ軸、Ｚ軸についての文字列を変更するための処理手段を設けることが好適である。当該手段は、例えば、コマンドを実行すると、「部門・階層を指示・活動を選択」の状態になり、部門短冊、階層短冊、活動プレートのいずれかを選択することが可能となり、当該選択後、選択した箇所に新たな用語を表示することを可能とする処理を例示することができる。
【００５８】
また、実施例１〜２の本プログラムにおいては、各短冊における要素を視覚的に明らかにするための吹き出し表示を行う処理手段（例えば、図７：図中７１１’〜７１４’にて示す囲みが吹き出し表示部分である）を設けることが好適である。さらに、当該プログラムには、コンピュータ画面上において、ワイヤ表示、陰線表示、シェーディング表示等を自在に行うことができる処理手段が設けられていることが好適である。
【００５９】
上記の例は、実施例であって、実質的に同一な動作をコンピュータが行うことができる処理手段を含むプログラムも、本発明の範囲に属する。また、上記の処理手段を具体的なコンピュータプログラムとして表現するコンピュータ言語は、特に限定されない。
【００６０】
本発明は、本プログラムを記録したコンピュータ読み取り可能な記録媒体をも提供する発明である。具体的な記録媒体としては、本プログラムを格納することが可能で、それを直接コンピュータ上で実行すること、又は、コンピュータ内の記録媒体（ハードディスク等）にインストールして実行が可能な記録媒体であれば特に限定されない。具体的には、フロッピー（登録商標）ディスク、ＣＤ−ＲＯＭ、ＤＶＤ−Ｒ、ＭＯ、フラッシュメモリー等を挙げることができるが、これらの記録媒体は日進月歩であり、ここに例示したものに決して限定されるものではない。
【００６１】
また、本発明は、本プログラムを伝送する伝送媒体を提供する発明でもある。この伝送媒体は、本プログラムを搬送波として伝搬させて供給するためのコンピュータネットワークシステム（ＬＡＮ、インターネット等のＷＡＮ、無線通信ネットワーク等）システムにおいて、例えば、ホストであるメインサーバに格納した本プログラムを、複数のクライアントコンピュータに対してダウンロードすることにより、個々のクライアントコンピュータにおいて本プログラムを起動させて、個々人（例えば、上記の個々の階層）において個々別々に本プログラムを用いた行為をすることができる処理を実行するプログラムが含ませることができる。また、上記個々人において、本プログラムに対して新たな情報の入力を行い、これを、ホストのサーバーに向けてアップロードすることで、例えば、上記の個々の階層間で本プログラムの実行内容についての情報を共有することを可能にする処理手段を実行するプログラムを含ませることができる。
【００６２】
また、本発明は、本プログラムがインストールされたことにより、本プログラムに関する上記（Ａ）〜（Ｃ）の手段を有する組織計画用装置、例えば、コンピュータ端末、サーバー、専用機等も提供する発明でもある。この組織計画用装置では、本プログラムの起動による、効率的な組織計画の立案・実行を行うことができる。
【図面の簡単な説明】
【００６３】
【図１】従来の組織体系文書の例を示した図面である。
【図２】本プログラムの一実施例（実施例１）の概略フローチャートを示した図面である。
【図３】図２に示されたプログラムにより実現されるコンピュータ画像の概略を示した図面である。
【図４】本プログラムの他の実施例（実施例２）の概略フローチャートを示した図面である。
【図５】実施例２における「活動作成処理」を実行する際のコンピュータ画面表示を示した図面である。
【図６】実施例２における「矢印作成処理」を実行する際のコンピュータ画面表示を示した図面である。
【図７】実施例における「吹き出し表示」の例を示した図面である。
【図１】
2006252542.tif 000003
【図２】
2006252542.tif 000004
【図３】
2006252542.tif 000005
【図４】
2006252542.tif 000006
【図５】
2006252542.tif 000007
【図６】
2006252542.tif 000008
【図７】
2006252542.tif 000009